(57)【要約】【課題】  深削りを防止し、安全かつスムーズに角質層を除去し、かつ除去後の角質を捕集する皮膚の角質層除去具を提供する。【解決手段】  ケーシング１５の底板１６ａを、角質層ａの除去時のガイドとし、刃１１の刃先部だけをケーシング１５の底板１６ａの露出口１４から突出させるので、使用者に慎重で鋭敏な手や指の動きを求めることなく、刃１１を皮膚の曲面に押し当てながら、安全に角質層ａだけを除去することができる。しかも、除去後の角質を、外部に飛散させることなく、ケーシング１５の内部空間に捕集することができる。【選択図】図１
2005304953.tif 000002
【特許請求の範囲】
【請求項１】
皮膚の角質層を削り取る刃と、長さ方向に刃先の長さ方向を直交させて、該刃が先端に取り付けられる把手とを有したＴ字削り部材と、
該Ｔ字削り部材が、その把手の元部を外部に突出させて、前記刃先の長さ方向に直交する面内で揺動可能に収納されるとともに、前記角質層に接する底板には、前記刃の刃先部を外部に突出させる露出口を有する角質収納用のケーシングとを備えた皮膚の角質層除去具。
【請求項２】
前記ケーシングとＴ字削り部材との間には、前記刃先をケーシングの底板の外面に揃える弾性部材が設けられた請求項１に記載の皮膚の角質層除去具。
【請求項３】
前記底板には、前記露出口より角質層の削り方向とは反対側に、該角質層が除去された皮膚を磨く研磨材が取り付けられた請求項１または請求項２に記載の皮膚の角質層除去具。
【発明の詳細な説明】
【技術分野】
【０００１】
この発明は皮膚の角質層除去具、詳しくは踵などの皮膚に生じる角質層を除去する皮膚の角質層除去具に関する。
【背景技術】
【０００２】
従来、踵、肘などに生じる角質層を取り除く皮膚の角質層除去具として、例えば特許文献１が知られている。
特許文献１は、握り部を有する本体と、削り面を有してこの本体から所定の高さまで延びる略環状の刃とを備えている。使用時には、まず本体を握り、刃先を角質層に押し当てる。そして、この押し当て状態を維持したまま、刃先が向かう方向に刃を摺動させる。これにより、角質層が削り取られる。
【特許文献１】特開２００２−１０９４４号公報
【発明の開示】
【発明が解決しようとする課題】
【０００３】
しかしながら、特許文献１の皮膚の角質層除去具では、以下の欠点があった。
すなわち、(1) 刃は角質層に対して略直角に押し当てられ、この状態を保持したまま角質層の表面に沿って刃を摺動させていた。そのため、慣れるまでは押し当ての加減がわからず、角質層を深削りし易かった。
また、(2) 使用時には、湾曲した角質層の表面に沿って、刃を摺動させなければならない。このように、鋭利な刃を皮膚の曲面に押し当てながら、安全に角質層だけを除去するためには、使用者に慎重で鋭敏な手や指の動きを求めることになった。
そして、(3) 特許文献１には、除去された角質を捕集するものがなかった。そのため、除去後の角質が外部に飛散していた。
【０００４】
この発明は、深削りを防止し、安全かつスムーズに角質層を除去することができ、しかも除去後の角質を捕集することができる皮膚の角質層除去具を提供することを目的としている。
【課題を解決するための手段】
【０００５】
請求項１に記載の発明は、皮膚の角質層を削り取る刃と、長さ方向に刃先の長さ方向を直交させて、該刃が先端に取り付けられる把手とを有したＴ字削り部材と、該Ｔ字削り部材が、その把手の元部を外部に突出させて、前記刃先の長さ方向に直交する面内で揺動可能に収納されるとともに、前記角質層に接する底板には、前記刃の刃先部を外部に突出させる露出口を有する角質収納用のケーシングとを備えた皮膚の角質層除去具である。
【０００６】
請求項１に記載の発明によれば、角質層を除去する使用時には、まず、外部に露出した把手を握り、ケーシングの底板をガイドにして、露出口から外部に突出した刃先部を角質層に当てがう。その後、この状態のまま、把手を角質層の削り方向（刃先が向かう方向）に引く。これにより、角質層が削り取られ（剃り落とされ）、除去された角質がケーシングの内部空間に捕集（収納）される。
このように、ケーシングの底板を、角質層の除去時のガイドとし、刃の刃先部だけをケーシングの底板の露出口から突出させるように構成したので、使用者に慎重で鋭敏な手や指の動きを求めることなく、刃を皮膚の曲面に押し当てながら、安全に角質層だけを除去することが可能になる。しかも、除去後の角質を、外部に飛散させることなく、ケーシングの内部空間に捕集することができる。
【０００７】
角質層が除去される皮膚の部位は限定されない。例えば、踵、肘、タコやウオノメ部分などが挙げられる。
刃は１枚刃でもよいし、２枚重ね以上の複数刃でもよい。
刃の削り方向の面（皮膚に接する側の面）には、例えば先部が長さ方向に向かって連続的に山斬りカットされ、かつ先端が刃先より外部突出したガード板を設けてもよい。
Ｔ字削り部材をケーシングに揺動可能にする構造は限定されない。例えば、ケーシングの周板のうち、角質層の削り方向と直交する両側板間に架け渡された回動軸に把手を取り付けた構造などを採用することができる。
刃先部とは、刃のうち、鋭利な刃先が存在する側の端部をいう。
露出口からの刃先部の突出幅は限定されない。要は、使用時において深削りにならない程度の幅である。
【０００８】
請求項２に記載の発明は、前記ケーシングとＴ字削り部材との間には、前記刃先をケーシングの底板の外面に揃える弾性部材が設けられた請求項１に記載の皮膚の角質層除去具である。
【０００９】
請求項２に記載の発明によれば、角質層を除去しない通常時は、Ｔ字削り部材の刃先が、弾性部材によりケーシングの底板の外面に揃えられている。これにより、通常時において、露出口から外部に突出した刃による不慮の事故を防止することができる。もちろん、Ｔ字削り部材は、弾性部材を介在して保持されている。そのため、使用時には、Ｔ字削り部材に外力を作用させれば、Ｔ字削り部材を揺動させ、適当な幅だけ刃先部を露出口から突出させて角質層を除去することができる。
弾性部材としては、例えば、各種の金属ばね（板ばね、コイルばね、竹の子ばねなど）、各種の合成樹脂ばねなどを採用することができる。その他、ゴム（天然ゴム、合成ゴム）やスポンジ（多孔質体）などの弾性変形可能な軟質部材を採用することができる。
【００１０】
請求項３に記載の発明は、前記底板には、前記露出口より角質層の削り方向とは反対側に、該角質層が除去された皮膚を磨く研磨材が取り付けられた請求項１または請求項２に記載の皮膚の角質層除去具である。
【００１１】
請求項３に記載の発明によれば、使用時、刃で角質層が剃り落とされた皮膚は、その直後、底板の露出口より角質層の削り方向（剃り方向）とは反対側に配置された研磨材により皮膚が研磨される。これにより、角質層を切除すると同時に、刃先により荒れた皮膚を磨き、滑らかにすることができる。
【００１２】
研磨材の種類は限定されない。例えばブロック形状のヤスリ、湾曲可能な紙ヤスリや布ヤスリなどを採用することができる。
研磨材が取り付けられる位置は、底板の露出口付近が好ましい。刃により角質層を除去した直後にその削り取った部分を磨けるためである。
【発明の効果】
【００１３】
請求項１に記載の発明によれば、ケーシングの底板を角質層の除去時のガイドとし、刃の刃先部だけをケーシングの底板の露出口から突出させるので、使用者に慎重で鋭敏な手や指の動きを求めることなく、刃を皮膚の曲面に押し当てながら、安全に角質層だけを除去することができる。しかも、除去後の角質を、外部に飛散させることなく、ケーシングの内部空間に捕集することができる。
【００１４】
特に、請求項２に記載の発明によれば、不使用時（通常時）には、弾性部材の弾性的な支持力により、Ｔ字削り部材の刃先がケーシングの底板の外面に揃えられるので、露出口から外部に突出した刃による不慮の事故を防ぐことができる。
【００１５】
また、請求項３に記載の発明によれば、底板の露出口より角質層の削り方向とは反対側に研磨材を配置したので、刃で角質層を除去した直後、その荒れた皮膚を研磨材により磨いて滑らかにすることができる。
【発明を実施するための最良の形態】
【００１６】
以下、この発明の実施例を具体的に説明する。ここでは、皮膚の角質層除去具の角質層の削り方向を前方向（前側）、この削り方向とは反対方向を後方向（後側）という。
【実施例１】
【００１７】
図１において、１０はこの発明の実施例１に係る皮膚の角質層除去具（以下、角質層除去具）で、この角質層除去具１０は、例えば踵などの皮膚の角質層ａ（図５）を削り取る刃１１と、長さ方向に刃先の長さ方向を直交させて、刃１１が先端に取り付けられる把手１２とを有したＴ字削り部材１３と、Ｔ字削り部材１３が、その把手１２の元部を外部に突出させて、刃先の長さ方向に直交する面内で揺動可能に収納されるとともに、角質層ａに接する底板には、刃１１の刃先部を外部に突出させる露出口１４を有した角質収納用のケーシング１５とを備えている。
【００１８】
以下、各構成部品を詳細に説明する。
ケーシング１５は、主に、平面視して略矩形皿状の本体１６と、本体１６の上縁部に着脱自在に嵌合されるドーム形状の蓋体１７とを有している。本体１６および蓋体１７とは、何れもポリプロピレン製である。本体１６の底板１６ａの後部には、その幅方向の中央部に前記露出口１４が形成されている。露出口１４は、長手方向が底板１６ａの幅方向に向いた平面視して矩形状の開口部である。露出口１４は、刃１１がゆとりを持って出し入れ可能な大きさを有している。
【００１９】
底板１６ａには、その露出口１４より角質層ａの削り方向とは反対側に、角質層ａが除去された皮膚を磨く研磨材１８が取り付けられている（図４）。研磨材１８は、微粒子状のセラミックスを焼成して固めた平面視して短冊形状の厚肉なヤスリ板である。研磨材１８は、その長さ方向を露出口１４の長尺辺と平行に配置されている。
また、本体１６の後側の端部付近には、本体１６の長尺側の両側板に回動軸１９が横架されている。回動軸１９の長さ方向の中間部には、前記把手１２の先端部が軸支されている。また、回動軸１９の長さ方向の両側部には、１対のガイドリング２０がそれぞれ外挿されている。両ガイドリング２０と把手１２との間には、スプリングワッシャ２１がそれぞれ介在されている。
【００２０】
蓋体１７の上板１７ａの中央部より若干後側には、後述する操作レバー２２の挿通孔２３が形成されている。挿通孔２３は、蓋体１７の長さ方向に長い矩形状を有している。また、上板１７ａの中央部より若干前側には、後述するビス２４の先端が当接される当接片２５が固着されている。
【００２１】
ここで使用されている刃１１は、２枚刃（２枚重ねの刃）である。１枚目の刃１１Ａの削り方向の面には、先部が長さ方向に向かって連続的に山斬りカットされ、かつ先端が刃先より外部突出したガード板２６が積層されている（図３）。１枚目の刃１１Ａと２枚目の刃１１Ｂとガード板２６とは、各対抗する面間に若干の隙間をあけて、スポット的に連結されている。これらは、把手１２の先端部に、周知の着脱構造（例えばガイド溝とガイドレール）を介して、交換自在に取り付けられている。
【００２２】
把手１２は、略横向きＬ字形に屈曲した操作レバー２２と、操作レバー２２の元部に連結される棒形状のグリップ２７とを有している。具体的には、グリップ２７の先部には、その先端面から略中間部の長さ位置まで達する溝部２７ａが形成され、この溝部２７ａに操作レバー２２の元部が嵌入されたのち、グリップ２７と操作レバー２２とをビス２４により連結された構造を有している。ビス２４は、そのねじ込み深さが調整可能になっている。ビス２４のねじ込み量を調整することで、ビス２４の先端部がグリップ２７の下面から突出する長さが変更される。これにより、使用時、字削り部材１３が回動軸１９を中心にしてグリップ２７を上板１７ａに近接する側に回動したとき、Ｔ字削り部材１３の回動軸１９を中心とした最大回動角度、すなわち刃先部が露出口１４から突出する最大突出幅を任意に変更（決定）することができる。
【００２３】
操作レバー２２の軸支部より若干把手１２側の部分と、底板１６ａの露出口１４より若干前側との間には、刃先をケーシング１５の底板１６ａの外面に揃えるコイルばね（弾性部材）２８が架け渡されている。具体的には、コイルばね２８の一端部が、操作レバー２２の軸支部より若干把手１２側の部分に離間状態で形成された１対の小孔２９に挿着され、コイルばね２８の他端部が、底板１６ａの露出口１４より若干前側に固定されている。
【００２４】
次に、実施例１に係る皮膚の角質層除去具１０の使用方法を説明する。
図１および図２に示すように、通常時、皮膚の角質層除去具１０は、コイルばね２８の弾性的な支持力により、Ｔ字削り部材１３の刃先の全部がケーシング１５の底板１６ａの外面に揃えられる。これにより、露出口１４から外部に突出した刃１１による不慮の事故を防ぐことができる。
また、Ｔ字削り部材１３は、コイルばね２８を介在して揺動可能に保持されている。そのため、使用時には、Ｔ字削り部材１３に外力を若干作用させれば、Ｔ字削り部材１３を揺動させ、適当な幅だけ刃先部を露出口１４から突出させて角質層ａを除去することができる。
【００２５】
すなわち、角質層除去具１０の使用時には、まず、外部に露出した把手１２を握り、ケーシング１５の底板１６ａをガイドにして、露出口１４から外部に突出した刃先部を角質層ａに当てがう。その後、この状態のまま、把手１２を角質層ａの削り方向に引く。これにより、角質層ａが削り取られ、それがケーシング１５の内部空間に捕集される（図５）。
【００２６】
このように、ケーシング１５の底板１６ａを、角質層ａの除去時のガイドとし、刃１１の刃先部だけをケーシング１５の底板１６ａの露出口１４から突出させるように構成したので、使用者に慎重で鋭敏な手や指の動きを求めることなく、刃１１を皮膚の曲面に押し当てながら、安全に角質層ａだけを除去することが可能になる。しかも、除去後の角質を、外部に飛散させることなく、ケーシング１５の内部空間に捕集することができる。
また、刃１１で角質層ａが剃り落とされた皮膚は、その直後、底板１６ａの露出口１４より角質層ａの削り方向とは反対側に配置された研磨材１８により皮膚が研磨される。これにより、角質層ａを切除すると同時に、刃先により荒れた皮膚を磨き、滑らかにすることができる。
【図面の簡単な説明】
【００２７】
【図１】この発明の実施例１に係る皮膚の角質層除去具の通常時を示す縦断面図である。
【図２】この発明の実施例１に係る皮膚の角質層除去具の通常時を示す横断面図である。
【図３】この発明の実施例１に係る皮膚の角質層除去具の操作レバーを示す斜視図である。
【図４】この発明の実施例１に係る皮膚の角質層除去具のケーシングの要部底面図である。
【図５】この発明の実施例１に係る皮膚の角質層除去具の使用時を示す縦断面図である。
【符号の説明】
【００２８】
１０  皮膚の角質層除去具、
１１  刃、
１２  把手、
１３  Ｔ字削り部材、
１４  露出口、
１５  ケーシング、
１６ａ  底板、
１８  ヤスリ板（研磨材）、
２８  コイルばね（弾性部材）、
ａ  角質層。
【図１】
2005304953.tif 000003
【図２】
2005304953.tif 000004
【図３】
2005304953.tif 000005
【図４】
2005304953.tif 000006
【図５】
2005304953.tif 000007